(57)【特許請求の範囲】
【請求項１】
着色剤と、バインダー樹脂と、植物油及び/又は鉱物油と、水とを主要成分とするオフセット印刷用エマルジョンインキ組成物であって、全インキ組成物中に、下記の一般式（１）で示される高級アルコールを０．１〜５．０重量％、及び一般式（２）で示される非イオン系界面活性剤を０．１〜３．０重量％含み、かつ水を全インキ組成物中に１〜１５重量％含むことを特徴とするオフセット印刷用エマルジョンインキ組成物。
Ｒ1−ＯＨ                                    （１）
Ｒ2−Ｏ−（ＣＨ2−ＣＨ2−Ｏ）ｎ−Ｈ          （２）
（式中、Ｒ1は炭素数が８〜２４の範囲にある飽和の、あるいは不飽和結合を含んでもよい炭化水素基を、Ｒ2は炭素数が４〜２４の範囲にある飽和の、あるいは不飽和結合および／または芳香族環を含んでもよい炭化水素基を、ｎは１〜１６の範囲の整数を表し、Ｒ2の炭素数をｋとすると、ｋとｎは１．５ｎ≦ｋ≦６ｎの関係を満たす）
【発明の詳細な説明】
【０００１】
【発明の属する技術分野】
本発明は、つぼ方式及びキーレス方式の印刷機に共用できるオフセット印刷用エマルジョンインキ組成物に関する。
【０００２】
【従来の技術】
近年、オフセット印刷ではインキ供給方式の異なる機械が出現し使用されている。代表的なインキ供給方式として、ポンプ方式（プランジャーポンプ方式、デジタルポンプ方式等）、つぼ方式、キーレス方式があり、ポンプ方式とつぼ方式間、並びに、ポンプ方式とキーレス方式間での共用はオフセットインキで可能であることは周知の事項である。
【０００３】
最近、印刷業界（新聞社等）では印刷環境の簡素化、省力化が注目されており、つぼ方式とキーレス方式間での共用を実現可能とする新規なオフセット印刷用インキ組成物が要望されている。しかし、つぼ方式で使用されているオフセット印刷用インキ組成物としては、印刷停止時におけるつぼからの垂れを防止する点から、比較的流動性の低いものが使用されており、一方キーレス方式で使用されているオフセット印刷用インキ組成物としては、インクパン内の流動性、ブレード上の流動性を確保する点から、比較的流動性の高いものが使用されている。このようにつぼ方式とキーレス方式で使用されるオフセット印刷用インキ組成物にはそれぞれ相反する性質が要求されるため、両方式で共用することはできなかった。
【０００４】
【発明が解決しようとする課題】
本発明は、前記要望に対し、つぼ方式及びキーレス方式の印刷機で共用できるオフセット印刷用インキ組成物を実現化すること、すなわち、網点再現性、着肉性、及び汚れに対する適性などの基本的な適性を有するとともに、つぼ方式特有のつぼからの垂れ防止、つぼからの吐出性、キーレス方式特有のインキパン内の流動性、ブレード上の流動性を満足するオフセット印刷用インキ組成物を提供することを課題とする。
【０００５】
【課題を解決するための手段】
本発明者らは上記の課題を解決するために鋭意検討した結果、下記一般式（１）で示される高級アルコールを全インキ組成物中に０．１〜５．０重量％、下記一般式（２）で示される非イオン系界面活性剤を全インキ組成物中に０．１〜３．０重量％含有させ、かつ水を全インキ組成物中に1〜１５重量％含有させることにより、せん断速度に対する顔料の凝集速度を調整することができ、それにより、つぼ方式に特有な前記適性とキーレス方式に特有な前記適性とを共に満足せしめることができることを見出し、本発明を完成するに至った。
【０００６】
すなわち、本発明は、着色剤と、バインダー樹脂と、植物油及び/又は鉱物油と、水とを主要成分とするオフセット印刷用エマルジョンインキ組成物であって、全インキ組成物中に、下記の一般式（１）で示される高級アルコールを０．１〜５．０重量％、及び一般式（２）で示される非イオン系界面活性剤を０．１〜３．０重量％含み、かつ水を全インキ組成物中に１〜１５重量％含むことを特徴とするオフセット印刷用エマルジョンインキ組成物に関する。
【０００７】
Ｒ1−ＯＨ                                  （１）
Ｒ2−Ｏ−（ＣＨ2−ＣＨ2−Ｏ）ｎ−Ｈ          （２）
（式中、Ｒ1は炭素数が８〜２４の範囲にある飽和の、あるいは不飽和結合を含んでもよい炭化水素基を、Ｒ2は炭素数が４〜２４の範囲にある飽和の、あるいは不飽和結合および／または芳香族環を含んでもよい炭化水素基を、ｎは１〜１６の範囲の整数を表し、Ｒ2の炭素数をｋとすると、ｋとｎは１．５ｎ≦ｋ≦６ｎの関係を満たす）
【０００８】
【発明の実施の形態】
以下、本発明のオフセット印刷用エマルジョンインキ組成物を詳細に説明する。
【０００９】
本発明のオフセット印刷用エマルジョンインキ組成物は、全インキ組成物中に、前記一般式（１）で示される高級アルコールを０．１〜５．０重量％、及び前記一般式（２）で示される非イオン系界面活性剤を０．１〜３．０重量％含有し、且つ全インキ組成物中に水を１〜１５重量％含有することを特徴とするものである。
【００１０】
本発明のオフセット印刷用エマルジョンインキ組成物は、前記特定の組成により、つぼ方式では、印刷停止時にインキがつぼから垂れず、印刷時にはつぼからの吐出性が良好であり、一方キーレス方式では、印刷時にインキパン内の流動性、ブレード上の流動性を有するものであり、両方式で共用できる。
【００１１】
本発明のオフセット印刷用エマルジョンインキ組成物に使用される高級アルコールは、前記一般式（１）で示されるものである。
【００１２】
一般式（１）において、Ｒ1で表わされる炭素数８〜２４の範囲にある炭化水素基としては、直鎖状または分岐鎖状の飽和脂肪族炭化水素基または不飽和脂肪族炭化水素基があげられる。
【００１３】
前記一般式（１）で示される高級アルコールとしては、例えばノニルアルコール、ラウリルアルコール、トリデカノール、セタノール、ステアリルアルコール、イソステアリルアルコール、オレイルアルコール等の炭素数の８〜２４の範囲にある飽和または不飽和の一価アルコールがあげられる。これら高級アルコールは単独でまたは２種以上を組み合わせて使用できる。
【００１４】
前記高級アルコールは、オフセット印刷用エマルジョンインキ組成物の全量中に、０．１〜５．０重量％含有される。高級アルコールの含有量が前記範囲未満では、印刷機のローラ間のニップ等の高せん断速度下では水分離が十分に起こらないため良好な印刷適性が得られないという問題が発生し、一方高級アルコールの含有量が前記範囲を超えると乳化が不安定となり、経時で水分離が発生する問題が発生する。
【００１５】
本発明のオフセット印刷用インキ組成物に使用する非イオン系界面活性剤は、前記一般式（２）で示されるものである。
【００１６】
一般式（２）において、Ｒ2で表される炭素数が４〜２４の範囲にある炭化水素基としては、直鎖状または分岐鎖状の飽和脂肪族炭化水素基または不飽和脂肪族炭化水素基、あるいは飽和脂肪族炭化水素基または不飽和脂肪族炭化水素基を有する芳香族炭化水素基などがあげられる。Ｒ2の炭素数、ｎの数およびｋとｎの関係が前記範囲を外れると、所望の界面活性効果がえられない。
【００１７】
前記一般式（２）で示される非イオン系界面活性剤としては、例えば、ノニルフェノールのエチレンオキサイド重付加物、オクチルフェノールのエチレンオキサイド重付加物等のポリオキシエチレンアルキルフェニルエーテル類、ラウリルアルコールのエチレンオキサイド重付加物等のポリオキシエチレンアルキルエーテル類等があげられる。これら非イオン系界面活性剤は単独でまたは２種以上を組み合わせて使用できる。
【００１８】
前記非イオン系界面活性剤は、オフセット印刷用エマルジョンインキ組成物の全量中に、０．１〜３．０重量％含有される。非イオン系界面活性剤の含有量が前記範囲未満では、十分な界面活性が得られないため、インキパン内、つぼ内で経時で水分離が発生する問題が生じ、一方前記範囲を超えると乳化が安定になりすぎるため良好な印刷適性が得られないという問題が発生する。
【００１９】
本発明のオフセット印刷用エマルジョンインキ組成物を得るために使用するバインダー樹脂成分としては、ロジン変性フェノール樹脂、各種アルキッド樹脂、石油樹脂、ロジンエステル樹脂、ポリエステル樹脂、ギルソナイト、あるいはそれらの変性物を使用することができる。これら樹脂成分はゲル化剤を用いてゲル化したものであってもよい。これら樹脂成分は単独でまたは２種以上を組み合わせて使用できる。
【００２０】
本発明のオフセット印刷用エマルジョンインキ組成物を得るための着色剤としては、オフセット印刷インキに一般的に用いられる無色又は有色の、無機又は有機顔料が使用でき、具体的には、二酸化チタン、硫酸バリウム、炭酸カルシウム、磁性酸化鉄等の無機顔料、アゾ顔料、レーキ顔料、フタロシアニン顔料、イソインドリン顔料、アントラキノン顔料、キナクリドン顔料等の有機顔料、及びカーボンブラック等が使用できる。これら着色剤は単独でまたは２種以上を組み合わせて使用できる。
【００２１】
本発明のオフセット印刷用エマルジョンインキ組成物を得るための植物油としては、大豆油、綿実油、アマニ油、サフラワー油、桐油、トール油、脱水ヒマシ油、カノーラ油等が例示できる。本発明のオフセット印刷用エマルジョンインキ組成物を得るための鉱物油としては、オフセット印刷用インキ溶剤として利用されているものがとくに制限なく使用できる。具体的には、ｎ−パラフィン系溶剤、イソパラフィン系溶剤、ナフテン系溶剤、芳香族系溶剤、α−オレフィン系、スピンドル油、マシン油、シリンダー油等の石油系溶剤が例示できる。その他併用できる溶剤の具体例としては、軽油、テレピン油、ミネラルスピリット、アルコール類、ケトン類、エステル類等が例示できる。これら植物油、鉱物油は、単独でまたは２種以上を組み合わせて使用できる。
【００２２】
更に、本発明のオフセット印刷用エマルジョンインキ組成物を得るためには、顔料分散剤、乾燥遅延剤、酸化防止剤、整面助剤、裏映り防止剤等を適宜使用することができる。
【００２３】
本発明のオフセット印刷用エマルジョンインキ組成物における前記着色剤、バインダー樹脂、植物油及び／又は鉱物油の比率は、全インキ組成物中に、着色剤８〜３０重量％、バインダー樹脂８〜４５重量％、植物油０〜６０重量％、鉱物油０〜６０重量％（植物油及び／又は鉱物油の合計量が２５〜６０重量％の範囲が好ましい）の範囲が適当である。
【００２４】
本発明のオフセット印刷用エマルジョンインキ組成物を得るための水としては、イオン交換水、蒸留水、天然水、水道水等が使用できる。
【００２５】
前記水は、オフセット印刷用エマルジョンインキ組成物中に１〜１５重量％含有される。水の含有量が、前記範囲未満では、インキ供給方式がつぼ方式の場合、つぼからの垂れが発生する問題が生じ、一方前記範囲を超えると、インキ供給方式がつぼ方式の場合、インキ供給時にスムーズなインキ供給ができなくなる問題が発生する。
【００２６】
本発明のオフセット印刷用エマルジョンインキ組成物を製造するには、従来公知の方法が使用できる。以下に、本発明のオフセット印刷用エマルジョンインキ組成物を得るために用いられる一般的な製造法について説明する。
【００２７】
樹脂ワニス、着色剤、植物油、鉱物油、必要に応じて顔料分散剤をビーズミル、３本ロールミル等で練肉分散させることによりオフセット印刷インキ用ベースを得る。
【００２８】
前記オフセット印刷インキ用ベースに、本発明で特定した高級アルコールおよび非イオン系界面活性剤、必要に応じて使用可能な樹脂ワニス、必要に応じてその他の添加剤を加え、植物油、鉱物油等で所定の粘度に調整してオフセット印刷用インキ組成物を得る。
【００２９】
前記オフセット印刷用インキ組成物に、水を加え、攪拌してオフセット印刷用エマルジョンインキ組成物を得る。
【００３０】
なお、本発明のオフセット印刷用エマルジョンインキ組成物は、インキ供給方式の異なるプランジャーポンプ方式、デジタルポンプ方式のオフセット印刷機にも、使用することができる。
【００３１】
【実施例】
以下実施例、比較例を用いて、本発明のオフセット印刷用エマルジョンインキ組成物をさらに詳細に説明するが、本発明はその主旨と適用範囲を逸脱しない限りこれらに限定されるものではない。なお、以下の記述中において、「部」は重量部を示す。
【００３２】
［オフセット印刷用インキ用ワニスの製造］
（ロジン変性フェノール樹脂ゲルワニスの製造）
コンデンサー、温度計、及び攪拌機を装着した四つ口フラスコにロジン変性フェノール樹脂（日立化成ポリマー（株）製、酸価２０、軟化点１６２℃）３８．５部、大豆油３０部、６号ソルベント（日本石油化学（株）製）３０部を仕込み、２３０℃に昇温し、同温度で３０分間攪拌した後放冷し、ゲル化剤としてエチルアセトアセテートアルミニウムジイソプロポキシド１．５部（川研ファインケミカル（株）製ＡＬＣＨ）を仕込み、１７５℃で３０分間攪拌してロジン変性フェノール樹脂ゲルワニスを得た。
【００３３】
（ギルソナイトワニスの製造）
コンデンサー、温度計、及び攪拌機を装着した四つ口フラスコにギルソナイトセレクト（アメリカンギルソナイト（株）製）２０部、６号ソルベント８０部を仕込み、１４０℃に昇温した後、同温度で４時間攪拌してギルソナイトワニスを得た。
【００３４】
（石油樹脂ワニスの製造）
コンデンサー、温度計、及び攪拌機を装着した四つ口フラスコにマレイン化石油樹脂（日本石油（株）製）５５部、６号ソルベント４５部を仕込み、１４０℃に昇温した後、同温度で３０分間攪拌して石油樹脂ワニスを得た。
【００３５】
［オフセット印刷用エマルジョンインキ組成物の製造］
実施例１〜９、比較例１〜７
ロジン変性フェノール樹脂ワニス４０部、ギルソナイトワニス１２部、石油樹脂ワニス１２部、カーボンブラック＃３２（三菱化学（株）製）２０部、乾燥防止剤１部を配合しビーズミルで練肉し、墨インキベースを得た。次いで、該墨インキベースに対して、表１の配合で高級アルコール、非イオン系界面活性剤、石油樹脂ワニス、６号ソルベントを添加し希釈して粘度６．０〜６．５Ｐａ・ｓのオフセット印刷用インキ組成物を得、その後、前記で得られた各オフセット印刷用インキ組成物と水とを表１の配合になるように攪拌混合し、実施例１〜９、比較例１〜７のオフセット印刷用エマルジョンインキ組成物を得た。
【００３６】
［性能評価試験］
印刷試験
実施例１〜９、比較例１〜７で得られたオフセット印刷用エマルジョンインキ組成物を下記印刷条件でオフセット印刷を行い、つぼ方式のつぼからのインキの垂れ、つぼからのインキ吐出性（印刷機を一定時間稼動させ、必要量のインキがつぼから吐出したかどうかで判断）、キーレス方式のインキパンのインキの流動性、ブレード上のインキの流動性、及び印刷紙面、特に非画像部の汚れについて調べた。結果を表２に示す。
【００３７】
（評価）
＜つぼからのインキの垂れ＞
３：つぼからのインキの垂れが無い状態のもの
２：つぼからインキがやや垂れる状態のもの
１：つぼからのインキが多く垂れる状態のもの
【００３８】
＜つぼからのインキ吐出性＞
３：インキつぼからのインキ吐出が良いもの
２：インキつぼからのインキ吐出がやや良いもの
１：インキつぼからのインキ吐出が悪いもの
【００３９】
＜インキパン及びブレード上のインキ流動性＞
３：インキ流動性の良い状態のもの
２：インキ流動性のやや悪い状態のもの
１：インキ流動性の悪い状態のもの
【００４０】
＜印刷紙面の状態＞
３：印刷紙面の汚れの無い状態のもの
２：印刷紙面がやや汚れる状態のもの
１：印刷紙面の汚れが目立つ状態のもの
【００４１】
＜印刷条件＞
つぼ方式
印刷機：    つぼ方式の新聞オフ輪印刷機
版  材：      ＰＳ版
湿し水：    アルカリ湿し水
用  紙：      新聞用紙
印刷速度：  ２．４万部／時〜１４万部／時
キーレス方式
印刷機：    キーレス方式の新聞オフ輪印刷機
版  材：      ＰＳ版
湿し水：    アルカリ湿し水
用  紙：      新聞用紙
印刷速度：  ２．４万部／時〜１４万部／時
【００４２】
【表１】
0004067706.tif 000002
【００４３】
【表２】
0004067706.tif 000003
【００４４】
【発明の効果】
本発明の特定の高級アルコール及び非イオン系界面活性剤、及び特定量の水を含むオフセット印刷用エマルジョンインキ組成物は、網点再現性、着肉性、及び、汚れに対する適性等の基本的な印刷適性を有するとともに、つぼ方式特有のつぼからの垂れ防止、つぼからの吐出性、キーレス方式特有のインキパン内の流動性、ブレード上の流動性を有し、つぼ方式及びキーレス方式のオフ輪印刷機での共用が可能になった。